(57)【要約】【課題】ウォブル記録方式が採用されている信号のジッタを低減し、組立工程後の環境変化や劣化、ディスクのばらつき等による影響を抑える。【解決手段】ＲＦ信号と、ウォブル信号とを検出し、ＲＦ信号内の同期信号と、同期信号の検出を示す信号との位相差であるＳＹＮＣ位相差の初期値を検出し、ＳＹＮＣ位相差を初期値から変更することにより、変更後のＳＹＮＣ位相差とウォブル信号のジッタ値とで決まる複数個の検出点を取り出し、これらの検出点に基づいて、ウォブル信号のジッタ値とＳＹＮＣ位相差との関係を表す２次近似曲線Ｌを算出し、２次近似曲線Ｌにおける、ウォブル信号のジッタ値最小点βを検出し、このジッタ値最小点でコンテンツプロテクション用のＲＯＭマークを読み出す。【選択図】図６
2008243258.tif 000002
【特許請求の範囲】
【請求項１】
ウォブル信号で光ディスクに記録されているコンテンツプロテクション用のＲＯＭマークを抽出し、当該光ディスクに記録されたコンテンツを読み出す光ディスク再生装置において、
ＲＦ信号と、前記ウォブル信号とを検出し、
前記ＲＦ信号内の同期信号と、前記同期信号の検出を示す信号との位相差であるＳＹＮＣ位相差の初期値を検出し、
前記ＳＹＮＣ位相差を初期値から変更することにより、前記変更後のＳＹＮＣ位相差とウォブル信号のジッタ値とで決まる複数個の検出点を取り出し、
前記検出点に基づいて、前記ウォブル信号の前記ジッタ値と前記ＳＹＮＣ位相差との関係を表す２次近似曲線を算出し、
前記２次近似曲線における、前記ウォブル信号のジッタ値最小点検出を行ない、
前記ジッタ値最小点で前記ＲＯＭマークを読み出すことを特徴とする光ディスク再生装置。
【請求項２】
ウォブル信号で光ディスクに記録された信号を読み出す光ディスク再生装置において、
ＲＦ信号と、前記ウォブル信号とを検出し、
前記ＲＦ信号内の同期信号と、前記ウォブル信号との位相差であるＳＹＮＣ位相差を変更することにより、
前記ウォブル信号のジッタ値最小点検出を行なうことを特徴とする光ディスク再生装置。
【請求項３】
請求項２に記載の光ディスク再生装置において、
前記ＳＹＮＣ位相差を変更することにより、
前記変更後のＳＹＮＣ位相差とウォブル信号のジッタ値とで決まる複数個の検出点を取り出し、
前記検出点に基づいて、前記ウォブル信号の前記ジッタ値と前記ＳＹＮＣ位相差との関係を表す近似曲線を算出し、
前記近似曲線における、前記ウォブル信号のジッタ値最小点検出を行なうことを特徴とする光ディスク再生装置。
【請求項４】
請求項２または３に記載の光ディスク再生装置において、
前記ウォブル信号のジッタ値最小点検出に基づいて、ウォブル信号で光ディスクに記録されているコンテンツプロテクション用のＲＯＭマークを抽出することを特徴とする光ディスク再生装置。
【発明の詳細な説明】
【技術分野】
【０００１】
本発明は光ディスク再生装置に関し、より詳細には、ウォブル信号のジッタ値を最小化できる光ディスク再生装置に関する。
【背景技術】
【０００２】
映画、音楽、ゲームなどの海賊版に対する著作権保護技術は、コンテンツ業界にとって、安全な権利確保のみならず、消費者にとっても便利な著作権保護方式である必要がある。
光ディスク再生装置では、様々な技術により著作権保護対策がなされており、なかでも、ＢＤ（ブルーレイディスク、Blu-ray  Disc:登録商標）では、ＡＡＣＳ(Advanced Access Content  System)、ＢＤ＋、ＲＯＭマークといった著作権のセキュリティシステムが導入されている。
このうちＲＯＭマークは、コンテンツが記録されているブルーレイディスクＲＯＭに所定のマークをつけることにより、保護を行なうもので、その記録には、ウォブル（Wobble）記録方式を採用している。
ウォブル記録方式が採用されているＲＯＭマークは、特定のトラックに刻まれている特殊な物理的マーク情報であり、ライセンスを受けた製造業者だけが、ＲＯＭマークのついたブルーレイディスクＲＯＭを製造できる。また、ライセンスを受けた再生機器のみがＲＯＭマークを読み取り可能である。
【０００３】
このＲＯＭマーク情報は、ウォブル形状を有するピットとして、記録されている。ＲＯＭマークのようなコンテンツプロテクション情報は、その性質上読み取りが難しい方法で記録されているにも関わらず、その情報が読み取れない限り、コンテンツを再生することができないので、検出は極めて高精度に行なわなければならない。
【０００４】
特許文献１には、様々なコンテンツプロテクションが提案されている状況下、情報記録媒体に格納されたコンテンツが暗号化コンテンツである場合、復号処理に適用するデータを、物理インデックスとして記録しているか否かを示す識別情報（物理インデックスフラグ）を情報記録媒体に記録することが提案されている。そして、著作権管理など利用管理の要求されるコンテンツを格納し、コンテンツプロテクションの鍵情報を物理インデックスとして記録している情報記録媒体と、利用制限の無いコンテンツを格納し物理インデックスのない情報記録媒体とをフラグに基づいて判別している。
【０００５】
また、特許文献２には、再生状態に影響を及ぼす再生パラメータ、例えば、レーザダイオードの発振光量、フォトダイオードのゲイン、サーボに関するフィルタのカットオフ周波数、ＲＦ信号のゲイン、オフセットなどを考慮し、これら再生パラメータの最適パラメータを自動的に設定するアルゴリズムを利用した再生装置が提案されている。
再生評価信号を、ＲＦ信号からＰＬＬによって生成されるクロックとＲＦ信号とのズレとを表すジッタ値とする場合、最適パラメータを設定するアルゴリズムは、再生パラメータに周波数変調で微小量変調を与え、微小量変調に同期して変化する再生評価信号から周波数成分を検出し、この成分の量から最適パラメータ量の検出を行なうようにしている。
【０００６】
【特許文献１】特開２００５−１８２８８９号公報
【特許文献２】特開２０００−１７３１６８号公報
【発明の開示】
【発明が解決しようとする課題】
【０００７】
しかしながら、特許文献１に記載の情報記録媒体では、ディスクのタンジェンシャル方向（接線方向）のズレや傾角のズレ等の機械的要因で、大きなジッタが発生した場合にコンテンツプロテクションを解除することができない虞がある。
【０００８】
また、コンテンツプロテクションを解除する際に、特許文献２に記載のような調整を行なうこともできるが、特許文献２に記載の調整では、ＰＬＬ機能をもつクロック再生装置から出力されるクロックと、このクロック再生装置に入力されるＲＦ信号とのエッジのズレであるジッタを、ジッタ計測装置で計測し、ジッタ値を最適化することにより再生している。
したがって、ＲＯＭマークが記録されたウォブル方式に最適化された調整を行なっているわけではなく、一般的な調整であるので、ウォブル記録方式で記録されているＲＯＭマーク再生時のジッタを十分に排除することはできない。
とりわけ、コンテンツプロテクションの解除情報の読み取りは、内部情報を読み出すことができるか否かの極めて重要な読み取りであり、組立工程後の環境変化や劣化、ディスクのばらつきや再生装置の機差による影響がある場合であっても、読み取る必要があり、更なるジッタの成分の低減が望まれる。
【０００９】
本発明はこのような実情に鑑み、ウォブル記録方式が採用されている信号のジッタを低減し、組立工程後の環境変化や劣化、ディスクのばらつき等による影響を抑えることができる光ディスク再生装置を提供することを目的とする。
【課題を解決するための手段】
【００１０】
本発明に係る光ディスク再生装置では、ウォブル信号で光ディスクに記録された信号を読み出す光ディスク再生装置において、ＲＦ信号と、ウォブル信号とを検出し、ＲＦ信号内の同期信号と、ウォブル信号との位相差であるＳＹＮＣ位相差を変更することにより、ウォブル信号のジッタ値最小点検出を行なう。
【００１１】
このような光ディスク再生装置では、ＲＦ信号とウォブル信号とを検出し、このＲＦ信号内の同期信号と、ウォブル信号との位相差であるＳＹＮＣ位相差によって変化するウォブル信号のジッタ値を確認しながらジッタ値の最小点を検出しているので、光ディスク再生装置の組立工程後における変化や劣化、ディスクのばらつきや再生装置の機差にも対応することができ、固定的なジッタ値の最適化よりもウォブル信号のジッタ値をさらに低減することができる。
【００１２】
本発明に係る光ディスク再生装置では、ＳＹＮＣ位相差を変更することにより、変更後のＳＹＮＣ位相差とウォブル信号のジッタ値とで決まる複数個の検出点を取り出し、これらの検出点に基づいて、ウォブル信号のジッタ値とＳＹＮＣ位相差との関係を表す近似曲線を算出し、この近似曲線における、ウォブル信号のジッタ値最小点検出を行なう。
【００１３】
このような光ディスク再生装置では、ウォブル信号のジッタ値とＳＹＮＣ位相差との関係を表す近似曲線からその最小値を求めるので、ウォブル信号のジッタ値を最小化する位相差を効率的かつ的確に求めることができる。
【００１４】
本発明に係る光ディスク再生装置では、ウォブル信号のジッタ値最小点検出に基づいて、ウォブル信号で光ディスクに記録されているコンテンツプロテクション用のＲＯＭマークを抽出する。
コンテンツプロテクションに使用されているＲＯＭマークは、ウォブル信号で記録されており、その性質上読み取りが難しい上に、プロテクション解除に使用されるものであるため、重要な読み取りである。したがって、このようなジッタ値最小点の検出を行ないそのジッタ値最小点でＲＯＭマークの読み取りを行なうので、安定したコンテンツプロテクション解除をすることができる。
【００１５】
本発明の典型的な実施形態に係る光ディスク再生装置では、ウォブル信号で光ディスクに記録されているコンテンツプロテクション用のＲＯＭマークを抽出し、当該光ディスクに記録されたコンテンツを読み出す光ディスク再生装置において、ＲＦ信号と、ウォブル信号とを検出し、ＲＦ信号内の同期信号と、同期信号の検出を示す信号との位相差であるＳＹＮＣ位相差の初期値を検出し、ＳＹＮＣ位相差を初期値から変更することにより、変更後のＳＹＮＣ位相差とウォブル信号のジッタ値とで決まる複数個の検出点を取り出し、これらの検出点に基づいて、ウォブル信号のジッタ値とＳＹＮＣ位相差との関係を表す２次近似曲線を算出し、この２次近似曲線における、ウォブル信号のジッタ値最小点検出を行ない、ジッタ値最小点でＲＯＭマークを読み出す。
【００１６】
このような光ディスク再生装置では、ウォブル信号で記録されているＲＯＭマークのジッタ値が最小となる点が、ジッタ値とＳＹＮＣ位相差との関係を表す２次近似曲線から導き出され、そのジッタ値の最小点でＲＯＭマークを読み取ることができる。このため、従来の固定的な同期信号の位置とは異なり、位相を変化させてウォブルジッタ値が最小となるように調整をするので、組立工程後の変化、劣化、ディスクのばらつきや再生装置の機差にも対応することができ、安定したＲＯＭマークの抽出が可能である。
また、ジッタ成分とＳＹＮＣ位相差との２次近似曲線を用いて、ジッタが最小となる点を求めているので、効率的かつ的確にジッタ値最小点を求めることができるとともに、様々な再生パラメータを調整する必要がない。
【発明の効果】
【００１７】
本発明によれば、ウォブル記録方式が採用されている信号のジッタを低減し、組立工程後の環境変化や劣化、ディスクのばらつき等による影響を抑えることができる光ディスク再生装置を得ることができる。
【発明を実施するための最良の形態】
【００１８】
以下、本発明の実施形態を図面を参照しつつ説明する。図１は、光ディスクにおけるＲＯＭマーク記録部を示す図である。
ブルーレイディスクに採用されていて、コンテンツプロテクション情報である物理的マーク（ＲＯＭマーク）は、ディスクの最内周に図１に示すように、ウォブル記録方式で記録されている。ウォブル記録方式では、グルーブは蛇行（Wobble）しており、ウォブルグルーブ１と呼ばれる。このウォブルグルーブ１は、所定の周波数変調がなされてトラックに刻まれている。
このようなウォブル記録方式においては、ウォブルグルーブ１に刻まれた周波数で、ピット２の検出の有無により、０、１の信号を検出する。
そして、このピット２から検出される信号が、メインデータを含むＲＦ信号である。
【００１９】
一方、ウォブル信号は、ウォブルグルーブ１で刻まれており、蛇行しているウォブルを読み取ることで、所定の周波数を読み出す。
このように、ウォブル信号とＲＦ信号を検出することで、ＲＯＭマークの信号が検出される。ＲＯＭマークは、ブルーレイディスクＲＯＭでは、ディスクの最内周に記録されており、光ディスク再生装置で、再生開始時のサーボ動作の初期にのみ検出され、その後は保持される。
【００２０】
また、ＲＯＭマークは、特殊な物理的マーク情報であり、ライセンスを受けた製造業者だけが、ＲＯＭマークのついたブルーレイディスクＲＯＭを製造でき、また、ライセンスを受けた再生機器のみがＲＯＭマークを読み取り可能である。
【００２１】
そして、ＲＯＭマークが記録されているウォブル信号は、前述のように、特定の周波数変調がなされて記録されているので、容易にデジタルコピーができない。
ＲＯＭマークを記録できる装置は、厳重に管理されており、通常の録画機器ではコピーできないので、海賊版の作成が極めて困難である。
このように容易にコピーできない性質のＲＯＭマークは、再生も特殊な手法で行なわれており、ウォブル信号のジッタ成分が大きくなると、再生できないため、ジッタ成分を一定量以下に抑え、ＲＯＭマークの抽出品質を保つ必要がある。
【００２２】
図２はＲＦ信号の同期ブロックを示す。図２に示すように、ＲＦ信号であるデジタルのメインデータは、同期信号であるＳＹＮＣとデータより構成されて記録されており、１同期ブロックは、１つのＳＹＮＣと多くのデータよりなる。この１同期ブロックを１チャネルビットといい、ＲＦ信号内のＳＹＮＣの検出、非検出を表す信号として、ＦＳ信号がある。
【００２３】
ＲＦ信号内のＳＹＮＣとＦＳ信号との位相差（以下「ＳＹＮＣ位相差」という）を変更すると、ＳＹＮＣとウォブル信号の位相差が変更される。この時、ウォブル信号のジッタ値が変化する。したがって、ＳＹＮＣ位相差を変更することでウォブル信号のジッタ値を調整することができる。
【００２４】
図３はウォブルジッタ値と、ＳＹＮＣ位相差との関係を示す図である。
図３に示すように、ＳＹＮＣ位相差に対し、ウォブル信号のジッタ値が小さくなる（極小となる）点、つまり、ウォブルジッタ値のボトムには、最小値（中央のボトム）３０、左のボトム３１、右のボトム３２の３点がある。
従来では、ＲＦ信号のＳＹＮＣ位置とウォブルジッタ値が最適となる点は固定値とされており、光ピックアップの光学的な中心点とディスクのセンターとの位置及び傾角の調整は、組立工程での調整のみとされていた。
【００２５】
本実施形態においても、固定値での調整や組立工程での調整が行われており、一定程度の調整がなされている。しかし、このような調整のみでは、ウォブル信号のジッタ値が最適値となる点を誤って検出する場合があった。
このようにウォブル信号のジッタ値が大きくなると、ＲＯＭマークを読み取ることができないために、コンテンツプロテクションが解除できないことになる。
【００２６】
したがって、本実施形態では、図４、図５、図６に示すようなジッタ値の最小化を行なう。
図４は、本実施形態の光ディスク再生装置のブロック図であり、図５はウォブルジッタ値の調整のフローチャートである。また、図６は、ウォブルジッタ調整を示す図である。
図４に示すように、この光ディスク再生装置では、光ディスク１０から光ピックアップ１１によって検出された信号は、アナログＬＳＩ１２に入力される。
【００２７】
アナログＬＳＩ１２は、フロントエンドプロセッサの役割を果たし、アナログ信号を処理、抽出し、光ピックアップ１１から変換された直後の信号に対して、データ間の干渉、ディスク上の指紋、ごみ、そり等によって含まれるノイズを除去したり、波形を整えたりする。
アナログＬＳＩ１２からは、ウォブル信号とＲＦ信号とが分離された状態で出力され、夫々がサーボＤＳＰ(Digital  Signal  Processor)１３に入力される。なお、このサーボＤＳＰ１３はＬＳＩで構成されている。
【００２８】
ＲＦ信号は、サーボＤＳＰ１３内のＲＥＡＤチャネル１４に入力される。ＲＥＡＤチャネル１４では、入力されたアナログ信号をデジタル信号に変換し、デジタル信号処理を行ない、１，０の２値化信号を生成する。
デジタル信号処理においては、具体的にはＰＲＭＬ（Partial Response Maximum  Likelihood）再生信号処理が行われ、符号間干渉の特性を考慮して元の波形を再生するＰＲ処理と、記録信号の特徴に基づき再生信号から最も確率の高いデータを読み取るＭＬ処理との２つの処理が行なわれる。
【００２９】
さらにＲＥＡＤチャネル１４からの出力信号は、デコード部１５に入力されてデコードされ、デコード部１５から同期信号ＳＹＮＣと、ＳＹＮＣの検出及び非検出を２値で表すＦＳ信号が出力される。このＳＹＮＣとＦＳ信号が、ＲＯＭマーク検出部１７へ入力される。
【００３０】
一方、サーボＤＳＰ１３に入力されたウォブル信号はＡＤＣ（Analog  Digital  Converter）１６でデジタル化され、ＲＯＭマーク検出部１７へ入力される。このＲＯＭマーク検出部１７において、ＳＹＮＣと当該ＳＹＮＣの検出を示すＦＳ信号との位相差の調整を、位相差調整手段である位相差調整部１８において行なう。
位相差調整部１８では、ＳＹＮＣ位相差を調整することによって、ウォブル信号とＳＹＮＣとの位相差を調整し、当該位相差を調整することでウォブルジッタ値が最小化される。
【００３１】
位相差調整部１８での位相差の調整手順は、図５に示すフローチャートに従う。以下、この手順について説明する。まず、図５に示すように、ユーザーが光ディスク１０を挿入する（Ｓ１）と、そのディスクがブルーレイディスクＲＯＭ（ＢＤ−ＲＯＭ）であるかどうかを判定する（Ｓ２）。ブルーレイディスクでない場合、例えば、ＤＶＤディスクの場合であるときは、ＤＶＤで行なわれているコンテンツプロテクションの解除、再生など他の処理が行なわれる（Ｓ３）。
【００３２】
ＢＤ−ＲＯＭである場合はＲＦ信号に含まれているＳＹＮＣを検出し、その時点でのウォブル信号のジッタ、すなわちウォブル信号の初期ジッタを測定する（Ｓ４）。
この初期ジッタの検出点が図６における点αである。
以下、ＳＹＮＣとウォブル信号との位相差変更を順次行なって最適値を得る。
図３に示すように、極小値をもつ左右のボトム３１、３２はウォブルジッタの最小値（３０）でないが、これらの間のＳＹＮＣ位相差は±３４チャネルビットであることが、実験的、経験的に知見を得られている。したがって、位相差調整手段によって以下のような位相差調整を行なう（Ｓ５）。
【００３３】
まず、図６のように、ＳＹＮＣ位相差を初期値から−１５ステップ（チャネルビット）移動する。つまり、検出されるＲＦ信号の位相を−１５ステップずらす。そして、ＳＹＮＣ位相差を−１５ビット移動した点におけるウォブルジッタ値を測定し、この検出点を図６に示す点Ａとし、その時のＳＹＮＣ位相差Ｘaとウォブルジッタ値Ｙaを取得する（Ｓ６）。
これらの値をＡ（Ｘa，Ｙa）で表すものとする。
【００３４】
１５チャネルビットとしたのは、３４チャネルビットの２分の１より若干小さくするためである。従来の調整でも、ある程度の最適化が得られているが、例えば調整点が点αであるとジッタが最小値とはなっていない。そのため、１７ビット以上であると、左のボトム３１の両側のジッタ値が大きな範囲に入るからである。
【００３５】
次に、検出点ＡからＳＹＮＣ位相差を＋５ステップずらし、検出点Ｂでのウォブルジッタ値を測定し、Ｂ（Ｘb，Ｙb）を取得する（Ｓ７）。
ＸbはこのときのＳＹＮＣ位相差、Ｙbはウォブルジッタ値である。
＋５ステップとしたのは、あまりに大きいと最小値を超えてしまうからである。
そして、ウォブルジッタ値がＹa＞Ｙbであるかどうか判定する（Ｓ８）。
【００３６】
仮に、Ｙa≦Ｙbであって、ＮＯであると判定すると、さらにＳＹＮＣ位相差を＋５ステップずらして再度ウォブルジッタ値を測定し、この検出点を新たにＡとする（Ｓ９）。
そして、さらにＳＹＮＣ位相差を＋５ステップずらして、ウォブルジッタ値を測定し、この検出点をＢとする（再度Ｓ７）。以下、このＳ７、Ｓ８、Ｓ９をＹa＞Ｙbになるまで繰り返す。
このようにＳ７、Ｓ８、Ｓ９をＹa＞Ｙbになるまで繰り返すことによって、誤ってウォブルジッタ値を検出することを回避し、以下に述べる２次曲線の近似を正確に行なう。
【００３７】
次に、Ｙa＞Ｙbである場合は、検出点Ｂから＋２５ステップ位相をずらし、ウォブルジッタ値を測定して、この検出点をＣ（Ｘc，Ｙｃ）とする（Ｓ１０）。ＸcはこのときのＳＹＮＣ位相差、Ｙcはウォブルジッタ値である。
さらに、位相を−５ステップずらし、この地点でのウォブルジッタ値を検出し、この検出点をＤ（Ｘd，Ｙd）とする（Ｓ１１）。ＸdはこのときのＳＹＮＣ位相差、Ｙdはウォブルジッタ値である。
【００３８】
次に、ウォブルジッタ値がＹc＞Ｙdであるかを判定する（Ｓ１２）。Ｙc＞Ｙdであるということは位相差が大きくなるにつれて、ジッタ値が大きくなっていることを示すものである。
Ｙc≦Ｙdで、ＮＯであると判定すると、さらに−５ステップずらして再度ウォブルジッタ値を測定し、この検出点をＣとする（Ｓ１３）。そして、さらに−５ステップずらして、ウォブルジッタ値を測定し、この検出点をＤとする（再度Ｓ１１）。このＳ１１、Ｓ１２、Ｓ１３をＹc＞Ｙdになるまで繰り返して、検出点Ｃおよび検出点Ｄを得る。
このようにＹc＞Ｙdになるまで繰り返すことによって、誤ってウォブルジッタ値を検出することを回避する。
【００３９】
以上のようにして、ウォブルジッタ値とそのときのＳＹＮＣ位相差とを表す点Ａ、Ｂ、Ｃ、Ｄを検出する。
任意の２次近似曲線は４点から求めることができるので、検出されたＡ（Ｘa，Ｙa），Ｂ（Ｘb，Ｙb），Ｃ（Ｘc，Ｙｃ），Ｄ（Ｘd，Ｙd）を任意の２次曲線を表す式に代入し、方程式を解くことにより２次近似曲線Ｌを求めることができる。
そして、求められた２次近似曲線Ｌからジッタ値が最小となる点β（Ｘβ，Ｙβ）を求める（Ｓ１４）。
以上のような手順で、ウォブルジッタ値が最小値ＹβとなるＳＹＮＣ位相差Ｘβを求めることができる。
【００４０】
そして、そのＳＹＮＣ位相差Ｘβに応じて、位相差調整部１８によってＳＹＮＣとＦＳ信号との位相をずらすことで、ジッタ値が最小となる点での読み取りができる。
このようにウォブル信号のジッタ値を低減させて、ＲＯＭマークを検出すると、安定したコンテンツプロテクション解除を行なうことができる。
【００４１】
また、ＲＯＭマークは再生開始時に一旦検出されると、その後は、例えば、メモリ等に格納されているので、安定した再生が可能である。
【００４２】
本発明は、上述した本実施形態に限られるものではない。例えば、本発明の趣旨を損なわない範囲で、位相を移動させるステップの数（チャネルビット）を変更してもよい。
【００４３】
また、上述した実施形態では、２次近似曲線を用いてウォブル信号のジッタ値が最小となる点を求めているが、２次近似曲線を使用せずに、他の近似曲線を使用することも可能である。さらに、近似曲線を用いずに、初期の検出点αの近傍で、ＳＹＮＣ位相差を変更して複数の検出点を取り出し、その中からジッタ値が最小となる点を抽出してジッタ値最小点としたり、ＳＹＮＣ位相差を変更しながらウォブル信号のジッタ値を走査し、その中から最小となる点を検出したりすることも本発明の範囲に含まれる。
【図面の簡単な説明】
【００４４】
【図１】光ディスクにおけるＲＯＭマーク記録部を示す図である。
【図２】ＲＦ信号の同期ブロックを示す図である。
【図３】ウォブルジッタ値と、ＳＹＮＣ位相差との関係を示す図である。
【図４】光ディスク再生装置のブロック図である。
【図５】ウォブルジッタ値の調整のフローチャートである。
【図６】ウォブルジッタ調整を示す図である。
【符号の説明】
【００４５】
１０  光ディスク
１７  ＲＯＭマーク検出部
１８  位相差調整部
３０  ジッタ最小点
Ｌ    ２次近似曲線
【図１】
2008243258.tif 000003
【図２】
2008243258.tif 000004
【図３】
2008243258.tif 000005
【図４】
2008243258.tif 000006
【図５】
2008243258.tif 000007
【図６】
2008243258.tif 000008